(57)【要約】【課題】  コストを低減し、ノイズや高調波の発生を防止して、データの送受信を行うことが可能な電源タップ、端末装置及び通信システムを提供する。【解決手段】  本発明は、抵抗Ｒ１を含まない経路１及び抵抗Ｒ１を含む経路２と、制御回路１４及びトライアックＴ１、Ｔ２と、電流センサ５２と、を有し、端末装置２００に交流電源を供給し、端末装置２００と接続されて閉回路を構成し、交流電流が経路１及び２のいずれかを流れ、端末装置２００とデータの送受信を行う電源タップ１００であって、制御回路１４及びトライアックＴ１、Ｔ２は、端末装置２００へデータを送信する場合、交流電流の振幅が０となる周期に合わせてデータに基づいて経路１及び２のいずれかを選択し、電流センサ５２は、端末装置２００からデータを受信する場合、データに基づく振幅の変化を検出することを特徴とする。【選択図】  図４
2011049925.tif 000002
【特許請求の範囲】
【請求項１】
異なる負荷を含む複数の経路と、
前記複数の経路のいずれかを選択する選択部と、
電流の振幅を検出する第１検出部と、
を有し、端末装置に交流電源を供給し、前記端末装置と接続されて閉回路を構成し、交流電流が前記選択部により選択された前記複数の経路のいずれかを流れ、前記端末装置とデータの送受信を行う電源タップであって、
前記選択部は、前記端末装置へデータを送信する場合、前記交流電流の振幅が０となる周期に合わせて該データに基づいて前記複数の経路のいずれかを選択し、
前記第１検出部は、前記端末装置からデータを受信する場合、該データに基づく前記振幅の変化を検出することを特徴とする電源タップ。
【請求項２】
前記端末装置と通信するデータは、ビット列であって、
前記選択部は、前記ビット列の各ビットの値に基づいて前記複数の経路のいずれかを選択することを特徴とする請求項１記載の電源タップ。
【請求項３】
前記選択部は、前記複数の経路のオンオフを切り替えるトライアックを有することを特徴とする請求項１又は２に記載の電源タップ。
【請求項４】
前記選択部は、前記複数の経路のオンオフを切り替えるソリッドステートリレーを有することを特徴とする請求項１又は２に記載の電源タップ。
【請求項５】
閉回路のオンオフを切り替える切替部と、
電流の振幅を検出する第２検出部と、
を有し、電源タップから交流電源が供給され、前記電源タップと接続されて前記閉回路を構成し、前記電源タップとデータの送受信を行う端末装置であって、
前記切替部は、前記電源タップへデータを送信する場合、前記閉回路を流れる交流電流の振幅が０となる周期に合わせて該データに基づいて前記閉回路のオンオフを切り替え、
前記第２検出部は、前記電源タップからデータを受信する場合、該データに基づく前記振幅の変化を検出することを特徴とする端末装置。
【請求項６】
異なる負荷を含む複数の経路と、前記複数の経路のいずれかを選択する選択部と、電流の振幅を検出する第１検出部と、を備え、端末装置に交流電源を供給し、前記端末装置と接続されて閉回路を構成し、交流電流が前記選択部により選択された前記複数の経路のいずれかを流れる電源タップと、
前記閉回路のオンオフを切り替える切替部と、電流の振幅を検出する第２検出部と、を備え、前記電源タップから前記交流電源が供給され、前記電源タップと接続されて前記閉回路を構成する前記端末装置と、
を有し、前記電源タップと前記端末装置とがデータの送受信を行う通信システムであって、
前記選択部は、前記端末装置へデータを送信する場合、前記交流電流の振幅が０となる周期に合わせて該データに基づいて前記複数の経路のいずれかを選択し、
前記第１検出部は、前記端末装置からデータを受信する場合、該データに基づく前記振幅の変化を検出し、
前記切替部は、前記電源タップへデータを送信する場合、前記閉回路を流れる交流電流の振幅が０となる周期に合わせて該データに基づいて前記閉回路のオンオフを切り替え、
前記第２検出部は、前記電源タップからデータを受信する場合、該データに基づく前記振幅の変化を検出することを特徴とする通信システム。
【発明の詳細な説明】
【技術分野】
【０００１】
本発明は、電源タップ、端末装置及び通信システムに関する。
【背景技術】
【０００２】
外部に交流電源を供給する電源タップを応用した装置が開発されている。例えば、遠隔地からネットワークを介して電源タップを制御することにより、接続された機器への電源供給を制御するリモート電源制御装置等がある。このような電源タップは、内部に動作を制御するためのパラメータや測定したデータを蓄える。電源タップへのパラメータの設定や電源タップからデータの取得を行う場合、電源タップに通信コネクタを設けて、外部の端末装置との通信コネクタを介した通信により行う。電源タップに通信コネクタを設けるスペースがない場合や、通信するデータ量が多くない場合は、電源タップに設けられたコンセントを介して交流電源を用いた通信により、電源タップと端末装置との通信を行うことができる。交流電源を用いる通信には、例えば、大量のデータを高速で通信することが可能なＰＬＣ（Power Line Communication）がある。
【０００３】
ＰＬＣの他に、電流を用いた通信方法が提案されている。例えば、特許文献１には、交流波形の一波長分に負荷電流を加算して加工し、この加工波形を含む交流を情報信号として送信するという電力線を利用する通信方法が開示されている。特許文献２には、電力線上に存在する交流電力信号の電流成分を変調するステップを含む電力線上で通信する方法が開示されている。
【先行技術文献】
【特許文献】
【０００４】
【特許文献１】ＷＯ２００５／１０９６６７号パンフレット
【特許文献２】特表２００４−５０２３９７号公報
【発明の概要】
【発明が解決しようとする課題】
【０００５】
ＰＬＣは、回路が複雑で高価である。また、ＰＬＣでは、通信するデータを電源ラインに重畳するため、重畳した信号から放射される電波により短波ラジオや無線機にノイズが発生してしまう。
【０００６】
本発明は、上記課題に鑑みなされたものであり、コストを低減し、ノイズや高調波の発生を防止して、データの送受信を行うことが可能な電源タップ、端末装置及び通信システムを提供することを目的とする。
【課題を解決するための手段】
【０００７】
本発明の電源タップは、異なる負荷を含む複数の経路と、前記複数の経路のいずれかを選択する選択部と、電流の振幅を検出する第１検出部と、を有し、端末装置に交流電源を供給し、前記端末装置と接続されて閉回路を構成し、交流電流が前記選択部により選択された前記複数の経路のいずれかを流れ、前記端末装置とデータの送受信を行う電源タップであって、前記選択部は、前記端末装置へデータを送信する場合、前記交流電流の振幅が０となる周期に合わせて該データに基づいて前記複数の経路のいずれかを選択し、前記第１検出部は、前記端末装置からデータを受信する場合、該データに基づく前記振幅の変化を検出することを特徴とする。
【０００８】
これにより、異なる負荷を含む複数の経路を切り替えて、電源の供給を止めることなく、データの送受信を行うことができる。また、簡易な構成で、交流電流の振幅が０となる周期に合わせて、交流電流の振幅を変化させて、データの送受信を行うことができる。よって、コストを低減し、ノイズや高調波の発生を防止して、データの送受信を行うことができる。
【０００９】
上記構成において、前記端末装置と通信するデータは、ビット列であって、前記選択部は、前記ビット列の各ビットの値に基づいて前記複数の経路のいずれかを選択する構成とすることができる。これにより、簡易な構成で、ビット列の送受信を行うことができる。
【００１０】
上記構成において、前記選択部は、前記複数の経路のオンオフを切り替えるトライアックを有する構成とすることができる。上記構成において、前記選択部は、前記複数の経路のオンオフを切り替えるソリッドステートリレーを有する構成とすることができる。これにより、簡易な構成で、交流電流の振幅が０となる周期に合わせて、交流電流の振幅を変化させて、データの送受信を行うことができる。
【００１１】
本発明の端末装置は、閉回路のオンオフを切り替える切替部と、電流の振幅を検出する第２検出部と、を有し、電源タップから交流電源が供給され、前記電源タップと接続されて前記閉回路を構成し、前記電源タップとデータの送受信を行う端末装置であって、前記切替部は、前記電源タップへデータを送信する場合、前記閉回路を流れる交流電流の振幅が０となる周期に合わせて該データに基づいて前記閉回路のオンオフを切り替え、前記第２検出部は、前記電源タップからデータを受信する場合、該データに基づく前記振幅の変化を検出することを特徴とする。これにより、端末装置は、交流電流の振幅が０となる周期に合わせて、閉回路のオンオフによりデータの送受信を行うことができる。よって、端末装置の構成をより簡易にすることができる。
【００１２】
本発明の通信システムは、異なる負荷を含む複数の経路と、前記複数の経路のいずれかを選択する選択部と、電流の振幅を検出する第１検出部と、を備え、端末装置に交流電源を供給し、前記端末装置と接続されて閉回路を構成し、交流電流が前記選択部により選択された前記複数の経路のいずれかを流れる電源タップと、前記閉回路のオンオフを切り替える切替部と、電流の振幅を検出する第２検出部と、を備え、前記電源タップから前記交流電源が供給され、前記電源タップと接続されて前記閉回路を構成する前記端末装置と、を有し、前記電源タップと前記端末装置とがデータの送受信を行う通信システムであって、前記選択部は、前記端末装置へデータを送信する場合、前記交流電流の振幅が０となる周期に合わせて該データに基づいて前記複数の経路のいずれかを選択し、前記第１検出部は、前記端末装置からデータを受信する場合、該データに基づく前記振幅の変化を検出し、前記切替部は、前記電源タップへデータを送信する場合、前記閉回路を流れる交流電流の振幅が０となる周期に合わせて該データに基づいて前記閉回路のオンオフを切り替え、前記第２検出部は、前記電源タップからデータを受信する場合、該データに基づく前記振幅の変化を検出することを特徴とする。これにより、簡易な構成で、交流電流の振幅が０となる周期に合わせて、交流電流の振幅を変化させ、交流電流の振幅の変化を検出することができる。よって、コストを低減し、ノイズや高調波の発生を防止して、データの送受信を行うことができる。
【発明の効果】
【００１３】
本発明の電源タップ、端末装置及び通信システムによれば、コストを低減し、ノイズや高調波の発生を防止して、データの送受信を行うことができる。
【図面の簡単な説明】
【００１４】
【図１】図１は、実施例１に係る通信システムの構成を示す図である。
【図２】図２は、実施例１に係る電源タップの構成を示す図である。
【図３】図３は、実施例１に係る端末装置の構成を示す図である。
【図４】図４は、実施例１に係る通信システムの回路の構成を示す図である。
【図５】図５は、実施例１に係る通信システムの回路の構成を示す図である。
【図６】図６は、実施例１に係るトライアックＴ１及びＴ２のオンオフの信号と交流電流Ｉ１との関係を示す図である。
【図７】図７は、実施例１に係る通信システムの回路の構成を示す図である。
【図８】図８は、実施例１に係るトライアックＴ３のオンオフの信号と交流電流Ｉ２との関係を示す図である。
【発明を実施するための形態】
【００１５】
以下に、図面を用いて、本発明の実施例について詳細に説明する。
【実施例１】
【００１６】
図１を参照して、実施例１に係る通信システム３００の構成を説明する。図１は通信システム３００及びその周辺の装置の構成を示す図である。通信システム３００は、電源タップ１００と、端末装置２００と、を有する。電源タップ１００は、電源プラグ１０と、コンセント２０ａ、２０ｂ、２０ｃ及び２０ｄと、ネットワーク端子２２と、を有する。端末装置２００は、電源プラグ３０を有する。電源タップ１００は、例えば交流１００Ｖが供給されるコンセントに電源プラグ１０を接続することにより、電源の供給を受ける。端末装置２００は、電源タップ１００のコンセント２０ａ、２０ｂ、２０ｃ及び２０ｄのいずれかに電源プラグ３０を接続することにより、電源の供給を受ける。図１において、コンセント２０ａに電源プラグ３０を接続する例を示している。電源タップ１００と端末装置２００とは、コンセント２０ａと電源プラグ３０との接続を利用して、ビット列であるデータを送受信する。電源タップ１００が端末装置２００へ送信するデータは、例えば、各コンセントで測定された電流値である。端末装置２００は受信した電流値を用いて、例えば、消費電力の算出等を行う。電源タップ１００が端末装置２００から受信するデータは、例えば、端末装置２００が電源タップ１００の動作を指定するためのコマンドやパラメータである。コマンドは、例えば、タイマーモードを指定するコマンドである。パラメータは、例えば、タイマーモードが設定された場合に、各コンセントの電源のオンオフを切り替える時刻である。電源タップ１００及び端末装置２００のデータ送受信時の内部動作については後述する。
【００１７】
電源タップ１００のコンセント２０ｂ、２０ｃ及び２０ｄには、例えば、図１のようにヘッドレスサーバ２０２、ルータ２０４及び２０６が接続される。ヘッドレスサーバ２０２は、入出力デバイスを接続せずに使用可能なサーバである。ルータ２０４及び２０６は、ＬＡＮ（Local Area Network）等のネットワーク間の中継を行う装置である。電源タップ１００のネットワーク端子２２は、ネットワーク５００経由でリモート管理用ＰＣ４００と接続される。リモート管理用ＰＣ４００は、例えば電源タップ１００、端末装置２００、ヘッドレスサーバ２０２、ルータ２０４及び２０６が設置されたサーバルームから遠く離れた遠隔地に設置される。リモート管理用ＰＣ４００は、ネットワーク５００経由でコンセント２０ａ、２０ｂ、２０ｃ及び２０ｄのオンオフの切り替えを指示して、端末装置２００、ヘッドレスサーバ２０２、ルータ２０４及び２０６の電源をオンオフすることができる。
【００１８】
図２を参照して、実施例１に係る電源タップ１００の構成を説明する。図２は、電源タップ１００の構成を示すブロック図である。図２を参照して、電源タップ１００は、電源プラグ１０と、コンセント２０ａ、２０ｂ、２０ｃ及び２０ｄと、電源回路１２と、制御回路１４と、負荷選択回路１６ａ、１６ｂ、１６ｃ及び１６ｄと、電流測定回路１８ａ、１８ｂ、１８ｃ及び１８ｄと、を有する。電源回路１２は、電源プラグ１０を介して供給される交流電源を直流電源に変換する。変換された直流電源は制御回路１４に供給される。制御回路１４は、負荷選択回路１６ａ、１６ｂ、１６ｃ及び１６ｄにおける負荷の選択、並びに、電流測定回路１８ａ、１８ｂ、１８ｃ及び１８ｄによる電流の振幅の測定を行う。
【００１９】
図３を参照して、実施例１に係る端末装置２００の構成を説明する。図３は、端末装置２００の構成を示すブロック図である。図３を参照して、端末装置２００は、電源回路３２と、装置内主回路３４と、制御回路３６と、スイッチ３８と、切替回路４０と、電流測定回路４２と、を有する。スイッチ３８は、端末装置２００が電源タップ１００と通信を行うか否かにより切り替えられる。端末装置２００が電源タップ１００と通信を行う場合、スイッチ３８は図中に実線で示す下側に切り替えられ、電源プラグ３０は切替回路４０及び電流測定回路４２と接続される。このとき、制御回路３６は、切替回路４０による回路のオンオフの切り替え、及び、電流測定回路４２による電流の振幅の測定を行う。端末装置２００が電源タップ１００と通信を行わない場合、スイッチ３８は図中に破線で示す上側に切り替えられ、電源プラグ３０は電源回路３２と接続される。電源回路３２は、電源プラグ３０を介して供給される交流電源を直流電源に変換する。変換された直流電源は、装置内主回路３４に供給される。装置内主回路３４は、ＣＰＵ（Central Processing Unit）、メモリ等を含む。装置内主回路３４は、電源タップ１００へ送信する制御コマンド等のデータの生成や、電源タップ１００から受信した電流の測定値などのデータの蓄積を行う。
【００２０】
図４を参照して、実施例１に係る通信システム３００の回路の構成を説明する。図４は、通信システム３００の回路図である。図４において、端子６０及び６２の左側が電源タップ１００、右側が端末装置２００に対応する。端子６０及び６２は、図１に示すように、電源タップ１００及び端末装置２００は、コンセント２０ａ及び電源プラグ３０により接続されていることを示す。電源タップ１００と端末装置２００とは、閉回路を構成する。
【００２１】
電源タップ１００は、交流電源５０、制御回路１４、電流センサ５２、トライアックＴ１及びＴ２、並びに、抵抗Ｒ１を有する。交流電源５０は、図２に示す電源プラグ１０と接続された交流電源に対応する。電流センサ５２は、図２に示す電流測定回路１８ａに対応する。トライアックＴ１及びＴ２、並びに、抵抗Ｒ１は、図２に示す負荷選択回路１６ａに対応する。トライアックＴ１は閉回路と直列に接続され、トライアックＴ２はトライアックＴ１と並列に接続される。トライアックＴ２と抵抗Ｒ１とは直列に接続される。電流センサ５２は閉回路と直列に接続され、閉回路を流れる交流電流の振幅を測定して、制御回路１４に通知する。制御回路１４は、電流センサ５２が測定した電流の振幅の通知を受ける。制御回路１４は、トライアックＴ１及びＴ２のオンオフの切り替えを行う。
【００２２】
端末装置２００は、制御回路３６、電流センサ５４、トライアックＴ３及び抵抗Ｒ２を有する。トライアックＴ３は、図３に示す切替回路４０に対応する。電流センサ５４は、図３に示す電流測定回路４２に対応する。電流センサ５４、トライアックＴ３及び抵抗Ｒ２は、閉回路と直列に接続される。電流センサ５４は、閉回路を流れる交流電流の振幅を測定して、制御回路３６に通知する。制御回路３６は、電流センサ５４が測定した電流の振幅の通知を受ける。制御回路３６は、トライアックＴ３のオンオフの切り替えを行う。
【００２３】
図５を参照して、通信システム３００において、電源タップ１００が端末装置２００へデータを送信する場合の動作を説明する。図５は、図４に示す構成のうち、電源タップ１００が端末装置２００へデータを送信する場合に関係する構成のみを示す回路図である。
【００２４】
送信側である電源タップ１００の制御回路１４は、端末装置２００へ送信するビット列の各ビットが０か１かに基づいて、交流電流の振幅が０となる周期に合わせて、すなわち交流電流の半波毎に、トライアックＴ１及びＴ２のうちいずれか一方をオンして他方をオフする。制御回路１４は、ビット列のビットが１である場合に、トライアックＴ１をオン、トライアックＴ２をオフする。このときの交流電流Ｉ１の経路を経路１とする。制御回路１４は、ビットが０である場合に、トライアックＴ１をオフ、トライアックＴ２をオンする。このときの交流電流Ｉ１の経路を経路２とする。図５のように、経路２は、抵抗Ｒ１を含む点で経路１と異なる。したがって、経路２を通る場合の交流電流Ｉ１の振幅は、経路１を通る場合に比べて小さくなる。
【００２５】
受信側である端末装置２００において、制御回路３６により、トライアックＴ３が常時オンされる。電流センサ５４により測定される交流電流Ｉ１の振幅は、半波毎に変化する。電流センサ５４は、半波毎に交流電流Ｉ１の振幅を測定して、制御回路３６に通知する。制御回路３６は、半波の周期毎に、通知される振幅の大小を検出する。制御回路３６は、振幅の大小に基づいて、電源タップ１００から送信される各ビットが０か１かを判別する。これにより、制御回路３６は、ビット列の受信を行う。
【００２６】
図６を参照して、電源タップ１００が端末装置２００へデータを送信する場合のトライアックＴ１及びＴ２のオンオフと交流電流Ｉ１との関係を説明する。図６は、トライアックＴ１及びＴ２のオンオフの信号と交流電流Ｉ１との関係を示す図である。図６に示す各信号は、上から順に、トライアックＴ１のオンオフの信号、トライアックＴ２のオンオフの信号、及び、交流電流Ｉ１を示す。横軸はいずれも時間ｔであり、時刻ｔｎからｔ（ｎ＋１）（ｎは０〜９とする）の各区間は、交流電流Ｉ１の半波の周期に対応する。
【００２７】
図６では、電源タップ１００が端末装置２００へ送信するデータを、ＡＳＣＩＩ（American Standard Code for Information Interchange）文字コードの「Ａ」に対応するビット列０１０００００１（１６進表示で４１ｈ）とする。ビット列は、最下位ビットから順に送信されるとする。ビット列の送信において、ビット列の先頭にスタートビットである「１」、末尾にストップビットである「０」を付加するとする。
【００２８】
まず、制御回路１４は、時刻ｔ０からｔ１までトライアックＴ１をオン及びトライアックＴ２をオフして、スタートビットの「１」を送信する。続いて、時刻ｔ１からｔ９まで半波の周期毎に、ビット列０１０００００１を最下位ビットから順に送信する。制御回路１４は、時刻ｔ１からｔ２まで及びｔ７からｔ８までトライアックＴ１をオン、トライアックＴ２をオフして、最下位ビットから１ビットめ及び７ビットめである「１」を送信する。制御回路１４は、時刻ｔ２からｔ６まで半波毎にトライアックＴ１をオフ、トライアックＴ２をオンして、最下位ビットから２ビットめから６ビットめ及び８ビットめである「０」を送信する。最後に、制御回路１４は、時刻ｔ９からｔ１０までトライアックＴ１をオン及びトライアックＴ２をオフして、ストップビットの「０」を送信する。
【００２９】
交流電流Ｉ１は、時刻ｔ０からｔ２及びｔ７からｔ８において、経路１を通る。交流電流Ｉ１は、時刻ｔ２からｔ６及び時刻ｔ８からｔ１０において、抵抗Ｒ１が直列接続された経路２を通る。よって、図６のように、経路２を通る場合の交流電流Ｉ１の振幅は、経路１を通る場合の振幅より小さくなる。
【００３０】
図７を参照して、通信システム３００において、電源タップ１００が端末装置２００からデータを受信する場合の動作を説明する。図７は、図４に示す構成のうち電源タップ１００が端末装置２００からデータを受信する場合に関係する構成のみを示している。
【００３１】
送信側である端末装置２００の制御回路３６は、電源タップ１００へ送信するビット列の各ビットが０か１かに基づいて、交流電流の振幅が０となる周期に合わせて、すなわち交流電流の半波の周期毎に、トライアックＴ３のオンオフの切替を行う。制御回路３６は、ビット列のビットが１である場合に、トライアックＴ３をオンして、ビットが０である場合に、トライアックＴ３をオフする。これにより、交流電流Ｉ２は、ビットが１である場合に閉回路を流れ、ビットが０である場合に閉回路を流れず０となる。
【００３２】
受信側である電源タップ１００において、制御回路１４により、トライアックＴ１が常時オンされる。電流センサ５２により測定される交流電流Ｉ２の振幅は、半波の周期毎に変化する。電流センサ５２は、半波の周期毎に交流電流Ｉ２の振幅を測定して、制御回路１４に通知する。制御回路１４は、半波の周期毎に、通知される振幅が０か否かを検出する。制御回路１４は、振幅が０か否かに基づいて、端末装置２００から送信される各ビットが０か１かを判別する。これにより、制御回路１４は、ビット列の受信を行う。
【００３３】
図８を参照して、電源タップ１００が端末装置２００からデータを受信する場合のトライアックＴ３のオンオフと交流電流Ｉ２の関係を説明する。図８は、トライアックＴ３のオンオフの信号と交流電流Ｉ２との関係を示す図である。図８に示す各信号は、上から順に、トライアックＴ３のオンオフの信号、及び、交流電流Ｉ２を示す。横軸は図６と同様である。
【００３４】
図８において、電源タップ１００が端末装置２００から受信するデータは、図６の場合と同様に、ＡＳＣＩＩ文字コードの「Ａ」に対応するビット列０１０００００１とする。ビット列は、最下位ビットから順に送信されるとする。ビット列の送信において、ビット列の先頭にスタートビットである「１」、末尾にストップビットである「０」を付加するとする。
【００３５】
まず、制御回路３６は、時刻ｔ０からｔ１までトライアックＴ３をオンして、スタートビットの「１」を送信する。続いて、時刻ｔ１からｔ９まで半波毎に、ビット列０１０００００１を最下位ビットから順に送信する。制御回路３６は、時刻ｔ１からｔ２まで及びｔ７からｔ８までトライアックＴ３をオンして、最下位ビットから１ビットめ及び７ビットめである「１」を送信する。制御回路１４は、時刻ｔ２からｔ６まで半波毎にトライアックＴ３をオフして、最下位ビットから２ビットめから６ビットめ及び８ビットめである「０」を送信する。最後に、制御回路３６は、時刻ｔ９からｔ１０までトライアックＴ３をオフして、ストップビットの「０」を送信する。
【００３６】
交流電流Ｉ２は、時刻ｔ０からｔ２及びｔ７からｔ８において、閉回路を流れる。交流電流Ｉ１は、時刻ｔ２からｔ６及び時刻ｔ８からｔ１０において、閉回路を流れず、振幅は０となる。
【００３７】
実施例１において、電源タップ１００は、図５及び図６に示すように、制御回路１４、トライアックＴ１及びＴ２は、端末装置２００へデータを送信する場合、閉回路を流れる交流電流の振幅が０となる周期に合わせてデータに基づいて抵抗Ｒ１を含まない経路１と抵抗Ｒ１を含む経路２のいずれかを選択する。図７及び図８に示すように、制御回路１４及び電流センサ５２は、端末装置２００からデータを受信する場合、データに基づく交流電流Ｉ２の振幅の変化を検出する。これにより、異なる負荷を含む複数の経路を切り替えて、電源の供給を止めることなく、データの送受信を行うことができる。また、簡易な構成で、交流電流の振幅が０となる周期に合わせて、交流電流の振幅を変化させて、データの送受信を行うことができる。よって、コストを低減し、ノイズや高調波の発生を防止して、データの送受信を行うことができる。
【００３８】
実施例１において、電源タップ１００と端末装置２００とが通信するデータは、ビット列であって、制御回路１４、トライアックＴ１及びＴ２は、ビット列の各ビットの値に基づいて経路１及び経路２のいずれかを選択する例を説明した。これにより、簡易な構成で、ビット列の送受信を行うことができる。
【００３９】
実施例１において、端末装置２００は、図７及び図８に示すように、制御回路３６及びトライアックＴ３は、電源タップ１００へデータを送信する場合、閉回路を流れる交流電流Ｉ２の振幅が０となる周期に合わせてデータに基づいて閉回路のオンオフを切り替える。図５及び６に示すように、電流センサ５４は、電源タップ１００からデータを受信する場合、データに基づく交流電流Ｉ１の振幅の変化を検出する。端末装置２００は、電源タップ１００のように電源を供給しなくてもよいため、電源タップ１００へのデータの送信を、異なる負荷を含む複数の経路の切り替えでなく、閉回路のオンオフにより実現できる。よって、端末装置２００の構成をより簡易にすることができる。また、交流電流の振幅が０となる周期に合わせて、閉回路をオンオフすることができる。よって、コストを低減して、ノイズや高調波の発生を防止して、データの送受信を行うことができる。
【００４０】
実施例１において、トライアックＴ１及びＴ２を用いて、経路１及び経路２のオンオフを切り替える例を説明した。トライアックＴ３を用いて、閉回路のオンオフを切り替える例を説明した。トライアックＴ１、Ｔ２及びＴ３の代わりに、ソリッドステートリレーを用いてもよい。
【００４１】
実施例１において、閉回路に設けた抵抗Ｒ１、Ｒ２の代わりに、例えば、定電流ダイオードを用いてもよい。
【００４２】
実施例１において、電流センサ５２及び５４を用いて交流電流を測定する例を説明した。他に例えば、電流センサ５２及び５４の代わりに、低抵抗を閉回路に直列に接続して、低抵抗の両端の電圧を測定して、電圧差から交流電流を測定するようにしてもよい。
【００４３】
以上、本発明の好ましい実施例について詳述したが、本発明は係る特定の実施例に限定されるものではなく、特許請求の範囲に記載された本発明の要旨の範囲内において、種々の変形・変更が可能である。
【符号の説明】
【００４４】
１４      制御回路
２０ａ    コンセント
３６      制御回路
５２      電流センサ
５４      電流センサ
１００    電源タップ
２００    端末装置
３００    通信システム
Ｔ１      トライアック
Ｔ２      トライアック
Ｔ３      トライアック
【図１】
2011049925.tif 000003
【図２】
2011049925.tif 000004
【図３】
2011049925.tif 000005
【図４】
2011049925.tif 000006
【図５】
2011049925.tif 000007
【図６】
2011049925.tif 000008
【図７】
2011049925.tif 000009
【図８】
2011049925.tif 000010